(57)【特許請求の範囲】
【請求項１】
開口部と、開口部から入ったゴミを収容する収容部とを有する本体と、
前記開口部を塞ぐ蓋と、
前記本体の底面が載置面に置かれた前記本体の起立状態において前記蓋を開くとともに、前記本体の転倒状態において前記蓋を閉じる前記蓋の開閉機構を含み、
前記開閉機構は、
前記本体の起立状態において前記載置面との当接により前記本体の内側に後退し、前記本体の転倒状態において前記本体の外側に突出する突起と、
前記突起と前記蓋とを連結するリンク機構であって、前記突起の後退に連動して前記蓋を開く張力を発生させるとともに、前記突起の突出に連動して前記張力を解放するリンク機構を含み、
前記リンク機構は、
前記突起に連結された一端と、他端とを有する第１のリンクと、
前記第１のリンクの他端と連結された一端と、前記蓋と連結された他端とを有する第２のリンクとを含み、
前記突起の後退によって、前記第１のリンクの他端が下方に傾くとともに、前記第２のリンクが下方に移動して前記蓋への張力を生じさせ、
前記突起の突出によって、前記第１のリンクの他端の下方への傾きが解除され、前記第２のリンクが上方に移動して前記蓋への張力を解放する
ゴミ箱。
【請求項２】
前記第２のリンクは、棒状部材または紐状部材である、
請求項１に記載のゴミ箱。
【請求項３】
複数の前記蓋と、各蓋に対応する複数の前記開閉機構とを含む
請求項１又は２に記載のゴミ箱。
【請求項４】
複数の前記蓋の夫々が三角形状を有し、閉じた状態において、四角錐又は三角錐の側面形状をなす
請求項３に記載のゴミ箱。
【発明の詳細な説明】
【技術分野】
【０００１】  本発明は、ゴミ箱に関する。
【背景技術】
【０００２】  従来、足でペダルを踏むことで蓋を開くことができるペダル式ごみ箱がある。また、人体から発する赤外線を感知し、それに反応してごみ箱の蓋が開く仕組みになっている人感センサー付きのゴミ箱がある（例えば、特許文献１）
【先行技術文献】
【特許文献】
【０００３】
【特許文献１】実開平７−９８０６号公報
【発明の概要】
【発明が解決しようとする課題】
【０００４】  蓋のないゴミ箱では、足などが当たってしまったとき、倒れて中に入っていたゴミが一気に流れ出てしまうということがある。ゴミが流れ出るとゴミを再び中に入れるだけでなく、ゴミによって汚れてしまった床を掃除しなければならない場合があった。ここで、従来のペダル式ゴミ箱は、ゴミを捨てる際に毎回ペダルを踏まなければならないという点と長時間開いておくことができないという欠点があった。また、人感センサー付きのゴミ箱は、人感センサーと制御装置が搭載されているためコストが高くなってしまう欠点があった。【０００５】  本発明は、ごみを入れるときに蓋を開く必要がなく、倒れたときにゴミが出てしまうのを抑えることのできるゴミ箱を提供することを目的とする。
【課題を解決するための手段】
【０００６】  本発明の実施例の一つは、ゴミ箱である。このゴミ箱は、開口部と、開口部から入ったゴミを収容する収容部とを有するゴミ箱本体と、前記開口部を塞ぐ蓋と、前記ゴミ箱の底面が載置面に置かれた起立状態において前記蓋を開くとともに、前記ゴミ箱の転倒状態において前記蓋を閉じる前記蓋の開閉機構と、を含むことを特徴とする。
【発明の効果】
【０００７】  本発明によれば、ゴミを入れるときに蓋を開く必要がなく、倒れたときにゴミが出てしまうのを抑えることができる。
【図面の簡単な説明】
【０００８】
【図１】図１Ａは、第１実施形態に係るゴミ箱の側面図であり、図１Ｂはカバーを取り外した状態を示す。
【図２】図２Ａは、蓋が閉じた状態のゴミ箱を示す平面図であり、図２Ｂは、蓋が開いた状態のゴミ箱を示す。
【図３】図３は、蓋の開閉機構の説明図であり、蓋が開いた状態の断面を示す。
【図４】図４は、蓋の開閉機構の説明図であり、蓋が閉じた状態の断面を示す。
【図５】図５Ａは、第２実施形態に係るゴミ箱の正面を含む斜視図であり、図５Ｂは、ゴミ箱の背面を含む斜視図である。
【図６】図６Ａは、第２実施形態に係るゴミ箱の底面を含む斜視図であり、図６は、ゴミ箱の蓋が開いた状態を示す。
【発明を実施するための形態】
【０００９】  以下、本発明の実施形態について図面を参照して説明する。以下の実施形態の構成は例示であり、本発明は以下の実施形態の構成に限定されない。
【００１０】〔第１実施形態〕
図１Ａは、第１実施形態に係るゴミ箱の側面図であり、図１Ｂは、図１Ａに示すゴミ箱からカバーを取り外した状態を示す。図２Ａは、蓋が閉じた状態のゴミ箱を示す平面図であり、図２Ｂは、蓋が開いた状態のゴミ箱を示す。図３Ａ及び３Ｂは、ゴミ箱の断面を示す。
【００１１】＜ゴミ箱の構成＞
図１〜４に示すように、ゴミ箱１は、幅方向（Ｘ方向）、奥行き方向（Ｙ方向）、及び高さ方向（Ｚ方向）を有する。ゴミ箱１は、高さ方向に上端と下端とを有し、下端を平らな場所において使用される。
【００１２】  ゴミ箱１は、本体２と、蓋３と、足４とを含む。本体２は、下端（底）が閉塞され、上端が開口された円筒状に形成されている。すなわち、本体２の上端には開口部２ａが形成され、その内部は、開口部から入ったゴミを収容する収容部となっている。なお、本体２の平面形状は、円以外の形状、例えば、三角形、四角形を含む多角形であってもよい。
【００１３】  蓋３は、本体２の開口部２ａを塞ぐものである。蓋３は、４つの蓋片３ａ、３ｂ、３ｃ、３ｄからなり、夫々は、二等片三角形の形状を有し、底辺部分が本体２の上端部に連結されて回動自在になっており、回動によって開口部２ａを開閉する。蓋３の閉状態において、蓋片３ａ、３ｂ、３ｃ、３ｄの夫々の頂点が当接して、本体２の開口部２ａを塞ぐ四角錐の側面形状の蓋を形成するようになっている。一方、蓋３の開状態では、蓋片３ａ、３ｂ、３ｃ、３ｄの夫々が回動してその頂点が上方を向き、本体２の開口部２ａが開口した状態とする。なお、蓋片の数を３にして、三角錐の側面形状とすることもできる。
【００１４】  足４は、本体２の下面に取り付けられている。図１Ｂでは２本の足４が図示されているが、足４は４本設けられている。足４は、円筒状に形成されてもよい。足４の下端がゴミ箱１の底面をなす。
【００１５】〈蓋の開閉機構〉
ゴミ箱１は、蓋３の開閉機構を有する。蓋３の開閉機構は、弾性体（バネ６０）によって高さ方向（Ｚ軸方向）に伸縮自在の突起６と、蓋片毎に設けられ、突起６と蓋片３ａ、３ｂ、３ｃ、３ｄの各々とを連結するリンク機構７とを有する。リンク機構７は突起６と蓋片を連結できるものであれば形状、材質は問わない。例えば、樹脂、金属、木などで形成できる。
【００１６】  突起６の上部はバネ６０と接続され、ばね６０の上端は本体２に接続されている。また、バネ６０は押しバネである。バネ６０は弾性体の一例であり、弾性体はバネ以外のゴム等であってもよい。
【００１７】  リンク機構７は、第１リンク７１（第１のリンク）と、第２リンク７２（第２のリンク）とを有する。第１リンク７１の一端と突起６とはジョイント（関節）７３を介して接続（連結）されている。また、第１リンク７１の他端と第２リンク７２とはジョイント（関節）７４を介して接続されている。さらに、第２リンク７２と蓋片３ａ、３ｂ、３ｃ、３ｄとは、ジョイント７５を介して接続されている。また、本体２の下部には、ドーナツ（リング）状の当接部（障害物）８が取り付けられている。第１リンク７１は、バネ６０の収縮時に障害物８に当接する。
【００１８】  ゴミ箱１は、カバー９を有する。カバー９は、足４の下面と接続されており、足４の下面と面一の底面を有する底壁と、底壁の外縁から立設する円筒状の側面とを有する。カバー９の材質は、プラスチックや木材等の、機構に影響を与えない程度の、硬度を有する物質であればよい。また、機構に影響を及ぼさない形状（三角形、四角形等の多角形など）であればよい。
【００１９】〈ゴミ箱の作用〉
ゴミ箱１の底面を水平面（載置面）上に置いた場合、ゴミ箱１は起立状態となる。この起立状態では、突起６が水平面によって押されることによって、ゴミ箱１の内側に後退し、バネ６０が本体２と突起６によって挟まれ収縮する。そのため突起６と本体２の間隔が狭まる。それと同時に突起６とジョイント７３で接続されている第１リンク７１が本体２に近づき、障害物８と接触（当接）し、第１リンク７１の端部（ジョイント７４側）が下向きに傾く。さらに第１リンク７１が傾いたことにより第２リンク７２が下降し、下向きの張力が発生する。それにより第リンク７２とジョイント７５によって連結されている、蓋片３ａ、３ｂ、３ｃ、３ｄの夫々が本体２との連結部分を中心に回動し、垂直に立って蓋３が開いている状態となる。
【００２０】  ゴミ箱１が倒れた場合、もしくは持ち上げた場合（バネ６０の収縮が解除された場合）は、バネ６０の伸長によって突起６がゴミ箱１の底面より外側に押し出され（突出し）、それによって第１リンク７１と障害物８の接触も解除され、バネ６０によって第２リンク７２が上に移動して張力が解放され、蓋片３ａ、３ｂ、３ｃ、３ｄが本体２の上部で回動して閉じて、夫々の接触により四角錐を作る。これにより、開口部２ａが塞がれて、収容されたゴミが外部に出ることが抑止される。
【００２１】〈第１実施形態の効果〉
第１実施形態のゴミ箱１によると、蓋３の開閉機構は、ゴミ箱１の起立状態において載置面との当接によりゴミ箱１の内側に後退し、ゴミ箱１の転倒状態においてゴミ箱１の外側に突出する突起６と、突起６と蓋３とを連結するリンク機構であって、突起６の後退に連動して蓋３を開く張力を発生させるとともに、突起６の突出に連動して張力を解放するリンク機構とを備える。リンク機構は、突起６に連結された一端と、他端とを有する第１リンク７１と、第１リンク７１の他端と連結された一端と、蓋３と連結された他端とを有する第２リンク７２とを含み、突起６の後退によって、第１リンク７１の他端が下方に傾くとともに、第２リンク７２が下方に移動して蓋３への張力を生じさせ、突起６の突出によって、第１リンク７１の他端の下方への傾きが解除され、第２リンク７２が上方に移動して蓋３への張力を解放する。これによって、ゴミ箱１は、ゴミを入れる時に蓋を開く必要がなく、倒れたときにゴミが出るのを抑えることができる。また、カバー９によって、リンク機構７が保護されるとともに、ゴミ箱１の直径が大きくなって倒れにくくなっている。
【００２２】〔第２実施形態〕
以下、第２実施形態について説明する。第１実施形態に係るゴミ箱は、複数の蓋及び複数のリンク機構を備えていた。第２実施形態に係るゴミ箱は、１つの蓋及びリンク機構を備える。図５Ａは、第２実施形態に係るゴミ箱１Ａの正面を含む斜視図であり、図５Ｂはゴミ箱１Ａの背面を含む斜視図である。図６Ａは、第２実施形態に係るゴミ箱１Ａの底面を含む斜視図であり、図６Ｂは、ゴミ箱の蓋が開いた状態を示す。
【００２３】  図５Ａ，５Ｂ，６Ａ，６Ｂに示すように、ゴミ箱１Ａは、幅方向（Ｘ方向）、奥行き方向（Ｙ方向）、及び高さ方向（Ｚ方向）を有する。ゴミ箱１Ａは、高さ方向に上端と下端とを有し、下端を平らな場所において使用される。
【００２４】  ゴミ箱１Ａは本体１１と蓋１２と足１３とを含む。本体１１は、下端（底）が閉塞され、上端が開口され、上端は斜めに切り落とされた開口部を有する四角柱状に形成されている。本体１１の内部は、ゴミの収容部となっている。なお、本体１１の平面形状は、四角形以外の形状、例えば、三角形、円形を含む形であってもよい。
【００２５】  蓋１２は、長方形の形状を有し、蓋１２の閉状態において、蓋１２が本体１１の開口部を覆うようになっている。一方、蓋１２の開状態では、蓋１２が上方を向き、本体１１の上端が開口した状態とする。
【００２６】  足１３は、本体１１の下面に取り付けられている。図６Ａからわかるように、足は４本設けられている。足１３は、円筒状に形成されてもよい。
【００２７】  ゴミ箱１Ａは、蓋１２の開閉機構を有する。開閉機構は、糸８１が第２リンク７２の代わりにリンク機構に用いられているということ以外は、第１実施形態と同じである。リンク機構は糸８１と、第１リンク７１に相当する第１リンク８０とを有する。糸８１の一端は、第１リンク８０とジョイント８３とで接続し、また、糸８１の他端は、蓋１２とジョイント８４とで接続されている。第１実施形態で説明した第２リンク７２は、棒状部材の一例である。糸８１は紐状部材の一例であり、紐、ロープ、ワイヤー、又はチェーンでもよい。本明細書における「リンク機構」のリンク（節）の一部は、蓋を引っ張る張力の発生及び解除を行うことができる限りにおいて、固体（棒状部材）だけでなく、紐状部材のような柔軟性を持つものも含む。すなわち、リンク機構は紐状部材を含んでいてもよい。
【００２８】〈実施形態の作用効果〉
第２実施形態のゴミ箱１Ａは、蓋の数が１であり、第２リンク７２の代わりに糸８１が設けられている点で、第１実施形態と異なるが、第２実施形態のリンク機構がゴミ箱１Ａの起立状態において蓋１２への張力を発生させて蓋１２を開き、転倒状態において蓋１２への張力を解放して、蓋１２を閉じる点では同じである。よって、第２実施形態のゴミ箱１Ａも、ごみを入れる時に蓋を開く必要がなく、倒れたときにゴミが出るのを抑えることができる。第２実施形態では、蓋が１枚である例を示したが、蓋は２枚や３枚であってもよい。また、実施形態で説明した構成は、発明の目的を逸脱しない範囲で、適宜組み合わせることができる。
【符号の説明】
【００２９】１，１Ａ・・・ゴミ箱
２・・・本体（ゴミの収容部）
３，１２・・・蓋
３ａ，３ｂ，３ｃ，３ｄ・・・蓋片
４・・・足
６・・・突起
７・・・リンク機構
８・・・当接部（リング部材）
９・・・カバー
６０・・・バネ
７１，８０・・・第１リンク
７２・・・第２リンク
７３，７４，７５・・・ジョイント（関節）
８１・・・糸
【図１】
0006959493.tif 000002
【図２】
0006959493.tif 000003
【図３】
0006959493.tif 000004
【図４】
0006959493.tif 000005
【図５】
0006959493.tif 000006
【図６】
0006959493.tif 000007